(57)【要約】ツール（２）を用いて、表面（６）から材料片（４）を取り外す。ツールは、伸長形態及び収縮形態に構成可能な収縮式本体部を有する。本体部の伸長形態は、該材料片が表面から直接該本体部周囲に巻き付けられ、巻き付けた材料片を形成するのを可能にする。材料片を本体部に巻き付けつつ、本体部を収縮形態へと収縮し、巻き付けた材料片の内部から取り外すことができる。
2008518825.tif 000002
【特許請求の範囲】
【請求項１】
表面から材料片を取り外すためのツールであって、
伸長形態及び収縮形態に構成可能な収縮式本体部を備え、
該本体部の伸長形態は、該材料片が表面から直接該本体部周囲に巻き付けられ、巻き付けた材料片を形成するのを可能にし、
該本体部は、該材料片を該本体部に巻き付けた後に、伸長形態から収縮形態へと収縮可能であり、該本体部の収縮状態は、該本体部を該巻き付けた材料片から取り外し可能にすることを特徴とするツール。
【請求項２】
前記本体部が該本体部より突出する駆動部材を含み、該駆動部材は該本体部を回転する駆動ツールと協働するよう適合されている、請求項１に記載のツール。
【請求項３】
前記本体部が前記材料片の一部を受容するよう適合されている溝を画定する、請求項１に記載のツール。
【請求項４】
前記本体部が、前記溝を画定する一対の分割ドラムを含む、請求項３に記載のツール。
【請求項５】
前記本体部は、前記分割ドラムを支持する前方及び後方バレルを含み、該バレルは該分割ドラムから取り外し可能である、請求項４に記載のツール。
【請求項６】
前記バレルはそれぞれ内側端と外側端を有し、該バレルの内側端は、該バレル間の相対回転を防止するよう連結されており、該連結されたバレルは長手方向軸線を画定する、請求項５に記載のツール。
【請求項７】
前記バレルは、該バレルから離間した前記分割ドラムの複数部で該分割ドラムを支持する、請求項５に記載のツール。
【請求項８】
前記バレルのうちの一方に接続される駆動部をさらに備え、該駆動部は前記分割ドラムから外側に離れて延在する、請求項７に記載のツール。
【請求項９】
前記分割ドラムは第一及び第二キーで前記バレルに接続されている、請求項５に記載のツール。
【請求項１０】
前方及び後方保持フランジをさらに備え、該前方保持フランジが前記前方バレルに接続され、該後方保持フランジが前記後方バレルに接続されており、前記第一キーが該前方バレルと該前方保持フランジとの間に配置され、前記第二キーが該後方バレルと該後方保持フランジとの間に配置されている、請求項９に記載のツール。
【請求項１１】
前記保持フランジはそれぞれ、前記分割ドラムのそれぞれの一部を受容する溝を画定する、請求項１０に記載のツール。
【請求項１２】
前記キーのうちの一方で前記バレルのうちの一方に接続された駆動部材をさらに備える、請求項９に記載のツール。
【請求項１３】
表面から材料片を取り外すためのツールであって、
該ツールは、伸長形態及び収縮形態に構成可能な収縮式本体部を備え、
該本体部の伸長形態は、該材料片が表面から直接該本体部周囲に巻き付けられ、巻き付けた材料片を形成するのを可能にし、
該本体部は、該材料片を該本体部に巻き付けた後に、伸長形態から収縮形態へと収縮可能であり、該本体部の収縮状態は、該本体部を該巻き付けた材料片から取り外し可能にし、
該本体部はドラムを支持する前方及び後方バレルを含み、
該バレルは該ドラムから取り外し可能であり、
一方のバレルは第一縦開口を画定し、
他方のバレルは第二縦開口を画定し、
該ツールは、該第一縦開口を貫通して配置され該他方のバレルにねじ係合されたねじコネクタをさらに備え、
該ねじコネクタの長手方向位置は、実質的に第一縦開口に対して固定されており、該ねじコネクタの第一方向への回転により、該前方及び後方バレルが互いに近づくよう動き、該ねじコネクタの第二方向への回転により、該前方及び後方バレルが互いから離れるよう動くことを特徴とするツール。
【請求項１４】
前記ドラムが可撓性ゴムシリンダである、請求項１３に記載のツール。
【請求項１５】
材料片をツールの周囲に巻き付けることにより、表面から材料片を取り外すためのツールであって、
該ツールは、バレルと、該バレルによって担持されるドラムを備え、
該ドラムは、該表面から取り外されるべき材料片の先端を受容するよう適合されている溝を画定し、
該バレルは、該材料片を該ツールに巻き付けた後に、該ドラムから取り外し可能であり、
該ドラムは、該ドラムが該巻き付けた材料片から取り外し可能となるよう収縮可能であることを特徴とするツール。
【請求項１６】
材料片をツールの周囲に巻き付けることにより、表面から材料片を取り外すためのツールであって、
該ツールは、バレルと、該バレルによって担持される第一及び第二分割ドラムを備え、
これら分割ドラムは協働して、該表面から取り外されるべき材料片の先端を受容するよう適合されている溝を画定し、
該バレルは、該材料片を該ツールに巻き付けた後に、該分割ドラムから取り外し可能であり、
該分割ドラムは、該ドラムが該巻き付けた材料片から取り外し可能となるように収縮可能であることを特徴とするツール。
【請求項１７】
材料片をツールの周囲に巻き付けることにより、表面から材料片を取り外すためのツールであって、
該ツールは、内側端及び外側端を有する前方バレルと、内側端及び外側端を有する後方バレルと、該バレルによって担持されるドラムを備え、
該前方及び後方バレルの内側端は、相対回転及び相対長手方向運動に抗して相互に連結されており、
該ドラムは、前記表面から取り外されるべき材料片の先端を受容するよう適合されている溝を画定し、
該バレルは、該材料片を該ツールに巻き付けた後に、該ドラムから取り外し可能であり、
該ドラムは、該ドラムが該巻き付けた材料片から取り外し可能となるように収縮可能であることを特徴とするツール。
【請求項１８】
材料片をツールの周囲に巻き付けることにより、表面から材料片を取り外すためのツールであって、
該ツールは、内側端及び外側端を有する前方バレルと、内側端及び外側端を有する後方バレルと、該バレルによって担持される第一及び第二分割ドラムと、前記分割ドラムを該バレルに接続する第一及び第二キーと、前方及び後方保持フランジを備え、
該前方及び後方バレルの該内側端は、相対回転及び相対縦運動に抗して互いに連結されており、
該分割ドラムは協働して、前記表面から取り外されるべき材料片の先端を受容するよう適合されている溝を画定し、
該分割ドラムは外側端及び中間部を有し、該分割ドラムの外側端が該バレルに係合し、各分割ドラムの該中間部は該バレルから離間おり、
該前方保持フランジは前記前方バレルに接続され、該後方保持フランジは前記後方バレルに接続されており、
該第一キーは該前方バレルと、該前方保持フランジと、該分割ドラムの少なくとも一つとの間に配置され、
該第二キーは該後方バレルと、該後方保持フランジと、該分割ドラムの少なくとも一つとの間に配置され、
該バレルは、該材料片を該ツールに巻き付けた後に、該分割ドラムから取り外し可能であり、
該ドラムは、該ドラムが該巻き付けた材料片から取り外し可能となるように収縮可能であることを特徴とするツール。
【請求項１９】
表面から材料片を取り外すためのツールであって、
該ツールは、可撓性非金属ドラムを支持する前方及び後方バレルを含み、伸長形態及び収縮形態に構成可能な収縮式本体部と、該バレルのそれぞれの一部を貫通して配置されたコネクタとを備え、
該ドラムは対向する端を有し、
該バレルはそれぞれフランジを有し、該ドラムの端は該フランジと当接し、
該コネクタの第一方向への回転により、該前方及び後方バレルが互いに近づくよう動いて、該可撓性非金属ドラムを伸長形態へと動作させ、
該コネクタの第二方向への回転により、該前方及び後方バレルが互いから離れるよう動いて、該ドラムを収縮形態へと動作させることを特徴とするツール。
【請求項２０】
表面から材料片を取り外す方法であって、
伸長形態及び収縮形態に構成可能な収縮式本体部を有するツールを提供するステップと、
該本体部を伸長形態にした状態で、取り外されるべき該材料片の一端を係合するステップと、
該材料片を、表面から該収縮式本体部上に巻き付けるステップと、
該収縮式本体部を収縮するステップと、
該本体部を該材料片から分離するステップとを含むことを特徴とする方法。
【発明の詳細な説明】
【技術分野】
【０００１】
この発明は一般にツールに関し、より詳細には材料の片を表面から取り外すために用いられるハンドツールに関し、特に収縮式ツールに関する。
【背景技術】
【０００２】
材料の片を表面から取り外さねばならない用途は多数ある。タイヤの試験技術においては、材料の片を、回転により試験路面として機能する薄い金属ベルトに強固に接着することにより、この材料片を摩擦材料からなるベルト内に形成する。ベルトは路面をシミュレートし、かつ比較的高価である。タイヤは試験面に係合し、タイヤ及び試験面の一方又は双方が移動して、タイヤの駆動力を模擬実験する。摩擦材料からなるベルトは、典型的には、接着剤を用いて試験面に強固に取り付けられる。ユーザが摩擦材料の種類を変える必要がある場合、又は摩擦材料が摩耗した場合に、オペレータは摩擦材料からなるベルトを試験面から取り外し、新たなベルトを取り付けなければならない。摩擦材料からなるベルトを取り外すことは、特にタイヤが試験面上で数千マイル相当を走行した後には、容易でない。装置オペレータは、壁紙除去剤を利用することなく古びた壁紙を除去するのと同様にして、小型の手持ち式スクレーパ（掻き取り器）を用いて、ベルトをセクション毎に取り外さなければならない。掻き取りツールの欠点の一つには、大型のベルトを取り外すのに時間を要する点である。他の欠点は、高価な試験面を損傷するおそれがある点である。さらなる欠点は、オペレータの手を傷つけるおそれがある点である。摩擦材料からなるベルトを取り外す他の方法は、摩擦材料からなるベルトを棒状体の周囲に巻き付けるものである。この方法においてツールを用いることの欠点は、巻き付けたベルトをツールから取り外すのが難しい点である。ベルトを試験面から取り外すのには著しく大きな力を必要とし、この力によりベルトがツールの周囲及びそれ自体にしっかりと巻き付く。ベルトが棒状体に非常にしっかりと巻き付くことが多く、このため、棒状体を巻き付けたベルト内から取り出すのにハンマを必要とある。
【発明の開示】
【発明が解決しようとする課題】
【０００３】
日常作業の一部としてこうしたベルトを取り外さなければならないオペレータは、掻き取りが必要なくなるほどの広範囲にベルトを取り外すのに役立つツールを求めている。また、これらのオペレータは、ベルトを試験面から取り外した後に、巻き付けたベルトから容易に取り外すことのできるツールを求めている。
【課題を解決するための手段】
【０００４】
一実施形態において、この発明は、材料片を表面から取り外すためのツールを提供する。このツールは、伸長形態及び収縮形態に構成可能な収縮式本体部を有する。この伸長形態により、材料片を表面から取り外しつつ、材料片を本体部周囲に巻き付けることが可能となる。材料片を本体部に巻き付けつつ、本体部を収縮形態へ収縮、次いでロール状材料片の内側から取り外すことができる。
【０００５】
他の実施形態において、この発明は、材料片を表面から取り外すためのツールであって、このツールが伸長形態及び収縮形態に構成可能な収縮式本体部を備え、本体部の伸長形態は、材料片が表面から直接本体部周囲に巻き付けられ、巻き付けた材料片を形成するのを可能にするツールを提供する。本体部は、材料片を本体部に巻き付けた後に、伸長形態から収縮形態へと収縮可能であり、本体部の収縮状態は、本体部を巻き付けた材料片から取り外し可能にする。本体部はドラムを支持する前方及び後方バレルを含み、これらバレルはドラムから取り外し可能である。一方のバレルは第一縦開口を画定し、他方のバレルは第二縦開口を画定する。ねじコネクタを、第一縦開口を貫通して配置し、かつ、他方のバレルにねじ係合し、ねじコネクタの長手方向位置を、実質的に第一縦開口に対して固定し、これによって、ねじコネクタの第一方向への回転により、前方及び後方バレルが互いに近づくよう動き、ねじコネクタの第二方向への回転により、該前方及び後方バレルが互いから離れるよう動く。
【０００６】
一実施形態において、ツールは、表面から取り外されるべき材料片の先端を受容するよう適合されている溝を協働して画定する、一対の分割ドラムを含む。分割ドラムは、連結された前方及び後方バレルにより支持される。一方のバレルは、ツールを回転して材料片を分割ドラムの周囲に巻き付けるのに用いられる駆動ツールと協働する駆動部を有する。
【０００７】
この発明の他の実施形態は、材料片を表面から取り外すためのツールであって、伸長形態及び収縮形態に構成可能な収縮式本体部を含むツールを提供する。本体部は、可撓性非金属ドラムを支持する前方及び後方バレルを含み、ドラムは対向する端を有する。バレルはそれぞれフランジを有し、ドラムの端はフランジと当接する。コネクタを、バレルのそれぞれの一部を貫通して配置し、コネクタの第一方向への回転により、前方及び後方バレルが互いに近づくよう動いて、可撓性非金属ドラムを伸長形態へと動作させ、コネクタの第二方向への回転により、前方及び後方バレルが互いから離れるよう動いて、ドラムを収縮形態へと動作させる。
【０００８】
また、この発明は、表面から材料片を取り外す方法を提供する。この方法は、伸長形態及び収縮形態に構成可能な収縮式本体部を有するツールを提供するステップと、取り外されるべき材料片の一端を結合するステップと、材料片を、表面から収縮式本体部上に巻き付けるステップと、収縮式本体部を収縮するステップと、本体部を材料片から分離するステップとを含む。
【発明を実施するための最良の形態】
【０００９】
本明細書を通じて、類似の番号は類似の部品を示す。
【００１０】
添付の図面において、この発明のツールの例示的実施形態を全体として参照番号２で示す。ツール２は、伸長形態及び収縮形態に構成可能な収縮式本体部を有する。本体部の伸長形態は、材料４の片を、表面６から取り外しつつ、本体部の周囲に巻き付けるのを可能にする。本体部は、材料片４を該本体部に巻き付けた後に、収縮可能であり、これによって、本体部を巻き付けた材料片４から取り外し可能にする。
【００１１】
ツール２の本体部は、全体として、選択的に互いに連結する前方バレル１０及び後方バレル１２を含んでおり、バレル１０及び１２は、使用時には互いに対して動かない。バレル１０及び１２は、長手方向軸線１４（図３）を画定し、ツール２は、ツール２の周囲に材料片４を巻き取り又は巻き付けながら、この軸線１４の周囲を回転する。前方バレル１０は内側端２０及び外側端２０を有する。後方バレル１２は、内側端２４及び外側端２６を有する。図１Ａ及び２Ａに示したこの発明の代替実施形態において、バレル１０及び１２は、内側端から外側端に向かって先細になっている。
【００１２】
内側端２０及び２４は、連結するように構成される。多様な連結構造のいずれかを用いて、所望の連結構造を達成することができる。例示的実施形態において、前方バレル１０の内側端２０は溝２８を画定し、一方、後方バレル１２の内側端２４は、溝２８内に摩擦ばめ又は滑りばめするよう構成された少なくとも１つの歯３０を含む。したがって、バレル１０及び１２は、歯３０が溝２８内に配置されている場合には、互いに対して回転できない。コネクタ３２を用いてバレル１０及び１２が互いに対して長手方向に動けないようにする。コネクタ３２は、バレル１０及び１２により画定される一対の孔３４内に受容される。バレル１０は、孔３４内に突出し、固定手段３２とねじ係合するねじ山を有する。固定手段３２の一方の方向への回転によりバレル１０及び１２が互いに引き寄せられ、固定手段３２の他方の方向への回転によりバレル１０及び１２が引き離される。ワッシャ３２は、こうした回転のためにレンチを固定手段３２に係合させるレンチ開口４２を画定するヘッド部４０を有する。保持ピン４４を用いて、ワッシャ３８及び後方バレル１２に対する固定手段３２の長手方向位置を実質的に固定する（ある程度の動きは許容されるが、ピン４４は固定手段３２がバレル１２を介して引張られるのを防止する）ことができ、これによって、コネクタ３２によりバレル１２をバレル１０から引き離すことができる。またワッシャ３８は、ボルト３２を回転した際に、ピン４４の座面として機能する。
【００１３】
バレル１０及び１２の外側端２２及び２６は、内側端２０及び２４よりも直径の大きい隆起を画定する。図１Ａ及び２Ａに示す実施形態において、この隆起は先細形状である。外側端２２及び２６を用いて、周囲に材料片４の巻き付けられる外面を有するドラム５０を支持する。図１Ａ及び２Ａの先細のバレル１０及び１２を用いることの利点は、外側端２２及び２６が、バレル１０及び１２が互いに対して離れる向きに動き始めると、直ちにドラム５０を収縮することができる点である。
【００１４】
ドラム５０を、少なくとも１つの溝５４を画定する一対の分割ドラム５２により形成することができる。分割ドラム５２のそれぞれの外面には、ドラム５０と材料片４との間に摩擦を生じさせる切り込みパターンをもって切り込みを設けることができる。各分割ドラム５２は、外側端５６及び中間部５８を有する。外側端５６の、外側端２２及び２６により、中間部５８をバレル１０及び１２の内側端２０及び２４から離間させる。この離間により、図４に示すように、材料片４の先端６０を挿入する空間を与える。
【００１５】
各分割ドラム５２の各外側端５６は、保持フランジ６８の内側面６６により画定される溝６４内に嵌合する大きさに厚さを減じた突起６２を画定する。フランジ６８は、バレル１０とともに用いられるフランジが図に示したような大きな中央開口を有するという点を除いて、同様である。保持フランジ６８を用いて、バレル１０及び１２に蓋をし、分割ドラム５２を所定の位置に固定する。キー７０を用いて、バレル１０及び１２に対する回転に抗して分割ドラム５２を固定する。固定手段７２を用いて、保持フランジ６８をバレル１０及び１２に接続し、分割ドラム５２を対向する保持フランジ６８の間に固定する。例示的実施形態において、２つの固定手段７２がフランジ６８を直接通ってバレル１０又は１２内に延びており、２つの固定手段７２がキー７０を通って延びる。各キー７０は、バレル１０及び１２により画定される溝７４内に係合される。また、キー７０は、保持フランジ６８により画定される溝７６内に係合される。図３は、バレル１０及び１２に対して分割ドラム５２の位置を固定するための、分割ドラム５２に対するキー７０の位置を示している。
【００１６】
また、キー７０を用いて、前方バレル１０を駆動部材８０に接続する。駆動部材８０は、キー７０の一部を受容する一対の溝８２を画定する。駆動部材８０は、材料片４を巻き付ける間にツール２を回転するのに用いられるレンチ８６（図５）内に係合するよう適合された六角形外面形状を有するアーム８４を含む。
【００１７】
図３に示すように、組み立てられたツール２を、先端６０付近の材料片４を横切って配置することにより、ツール２を用いる。先端６０は、適当なツールを用いて、既に表面６から離されている。次いで、ユーザは、先端６０をツール２の一部の周囲に巻き付け、図４に示すように、先端６０を溝５４に挿入する。材料片４を保持する接着剤が強力な場合には、レンチ８６を用いて、図５に示すように、ツール２を回して材料片４をツール２の周囲に巻き付ける。図６に示すように、材料片４が表面６から取り外されるまで、ツール２を回す。次いで、ユーザはツール２を収縮し、これによって、巻き付けた材料片４からツール２を取り外して、他の材料片に用いることができる。この発明の例示的実施形態を収縮するために、ユーザはコネクタ３２をバレル１２に対して回転し、バレル１０及び１２を離す。その後、後方バレル１２を、図７に示すように、分割ドラム５２から取り外すことができる。次いで、前方バレル１０を分割ドラム５２から取り外し、分割ドラム５２を収縮させる。続いて、分割ドラム５２を取り外して、図１０に示すように、巻き付けた材料片４からツール２を完全に分離する。その後、ツール２を再び組み立てて、再度使用することができる。
【００１８】
この発明の他の代替実施形態を、図１０〜１２において全体として参照番号１０２で示す。ツール１０２は、伸長位置及び収縮位置に構成可能な収縮式本体部を有する。本体部の伸長位置は、材料４の片を、表面６から取り外しつつ、本体部の周囲に巻き付けるのを可能にする。本体部は、材料片４を該本体部に巻き付けた後に、収縮可能であり、これによって、本体部を巻き付けた材料片４から取り外し可能にする。
【００１９】
ツール１０２の本体部は、全体として、隣接するボルト１１４上で選択的に互いに対して前後に動く前方バレル１１０及び後方バレル１１２を含んでいる。図示のように、ボルト１１４はバレル１１０とねじ係合し、ボルト１１４の回転によりバレル１１０及び１２を互いに対して前後に駆動することができる。代替実施形態において、ボルト１１４はバレル１１０及び１１２の双方を完全に貫通し、ナット又は一方のバレルの一部であるねじ部とねじ係合することができる。この実施形態において、ナットに対するボルト１１４の一方の方向への回転によりバレル１１０及び１１２が互いに近づく向きに動く。ピン又はボルト１１４と係合する他の装置を用いて、ボルト１１４が他方の方向に回転した際に、バレル１１０及び１１２を他の方向に動かすことができる。
【００２０】
各バレル１１０及び１１２は、バレルと一体に形成することのできる、又は適当なコネクタに取り付けることのできるフランジ１２０を含む。固定可能なスリーブ１２２を、フランジ１２０の間で、バレル１１０及び１１２上に配置する。スリーブ１２２は、壁厚が％インチの可撓性ゴムスリーブとすることができる。スリーブ１２２の弾力性は、スリーブ１２２が伸長位置にある場合に、バレル１１０及び１１２を互いに対して遠ざける。図１１のスリーブ１２２の位置は、収縮位置である。ボルト１１４を用いてバレル１１０及び１１２を互いに対して近づけた場合に、スリーブ１２２は図１２の伸長位置に動かされる。
【００２１】
したがって、ツール１０２を前記と同様にして用いる。オペレータは、ツール１０２を図１２の構成に伸長し、材料片４をスリーブ１２２の周囲に巻き付ける。完全に巻き付けられると、オペレータはツール１０２を収縮構成に動かし、これをツール１０２からずらす。実施形態によっては、スリーブ１２２を伸長し、複数の環状リブにより形成される正弦曲線外面を有するようにする。これらのリブも、材料片４の巻き付けに有効であることが分かっている。
【００２２】
前述の説明から、当業者であれば、この発明が前記の問題点の多くを解決することを理解するであろう。無論、当業者であれば、特許請求の範囲に記載の発明の原理及び範囲内において、発明の本質を説明するために記載し、図示した詳細、材料及び部品の構成に種々の変更を加えることができることを、当業者は理解するであろう。
【図面の簡単な説明】
【００２３】
【図１】前方端すなわち駆動端から見た、材料片取り外しツールの分解斜視図である。
【図１Ａ】材料片取り外しツールの代替実施形態の分解斜視図である。
【図２】後方端から見た、ツールの分解斜視図である。
【図２Ａ】図１Ａに示す材料片取り外しツールの代替実施形態の分解斜視図である。
【図３】試験面に固定される材料片の端部に隣接して配置されたツールの斜視図である。
【図４】ツールの斜視図であり、材料片の端部を分割ドラムの間の溝に挿入した状態で示す。
【図５】ツールの駆動端に取り付けられた駆動ツールの斜視図であり、材料片の一部をツールの周囲に巻き付けた状態で示す。
【図６】ツールの斜視図であり、材料片の全部をツールの周囲に巻き付けた状態で示す。
【図６Ａ】図６の線６Ａ−６Ａ上における断面図である。
【図７】材料片はツールの周囲に配置したままで、ドラムから取り外した後方バレルの斜視図である。
【図８】材料片はツールの周囲に配置したままで、分割ドラムから取り外した前方及び後方バレルの斜視図である。
【図９】ロール状材料片から取り外した分割ドラムの斜視図である。
【図１０】材料片取り外しツールの代替実施態様の断面図であり、前方及び後方バレル並びにツールを収縮及び伸長するのに用いるボルトを示す。
【図１１】図１のツールの代替実施形態の断面図であり、収縮したスリーブの断面及びバレルの側面を示す。
【図１２】ツールの代替実施形態の側面図であり、伸長した位置で示す。
【図１】
2008518825.tif 000003
【図１Ａ】
2008518825.tif 000004
【図２】
2008518825.tif 000005
【図２Ａ】
2008518825.tif 000006
【図３】
2008518825.tif 000007
【図４】
2008518825.tif 000008
【図５】
2008518825.tif 000009
【図６】
2008518825.tif 000010
【図６Ａ】
2008518825.tif 000011
【図７】
2008518825.tif 000012
【図８】
2008518825.tif 000013
【図９】
2008518825.tif 000014
【図１０】
2008518825.tif 000015
【図１１】
2008518825.tif 000016
【図１２】
2008518825.tif 000017
【国際調査報告】
2008518825.tif 000018
2008518825.tif 000019
2008518825.tif 000020